(57)【要約】【課題】菓子類を、少しずつでも、一度に多くでも取り出し易く、その開口機構がユニークでかつロック機構をも有する斜めスライドオープン式菓子用紙箱を提供する。【解決手段】直方体状に製函されたスリーブ３内に、内箱底面板２１に内箱左側面板１６を有し直方体状に製函された中舟２を挿入した菓子用紙箱で、前記中舟２を構成する内箱底面板２１にそのコーナーより中心に向かって延びる繋ぎ目付切り線ｘと、一方のコーナーより延びる円弧状切り線ｙおよびこれらｘとｙの交点より内箱前側面板２２方向に延びる切り線ｗを設け、中舟２の内箱後側面板２０の折り線ｉをヒンジーとして内箱左側面板１６の部分を斜めにスライドさせて開口せしめる斜めスライドオープン式菓子用紙箱１である。また、中舟２を構成する内箱底面板２１に突出するロック機構部位２１ａが設けられ、スリーブ３を構成する折り返し片４４が内側に折り返されている【選択図】図４
2006248593.tif 000002
【特許請求の範囲】
【請求項１】
基本となる構造として、側板糊代片と外箱底面板と外箱前側面板と外箱上面板と外箱後側面板とが順にそれぞれ折り線を介して連設し、該外箱底面板の右辺に外箱右側内板が、該外箱上面板の右辺に外箱右側外板がそれぞれ折り線を介して連設し、外箱前側面板と外箱後側面板の右辺に外箱糊代フラップがそれぞれ折り線を介して連設してなるスリーブ用ブランクを直方体状に製函したスリーブ内に、
内箱後側面板と内箱底面板と内箱前側面板とが順に折り線を介して連設し、該内箱後側面板および内箱前側面板の左右辺には内箱糊代フラップがそれぞれ折り線を介して連設し、内箱底面板の左右辺には内箱左側面板、内箱右側面板がそれぞれ折り線を介して連設している中舟用ブランクを直方体状に製函した中舟を、
挿入したスライド開口可能な中舟・スリーブ式の菓子用紙箱において、
前記中舟用ブランクを構成する内箱底面板と内箱左側面板との間の折り線および内箱後側面板との間の折り線の交点より内箱底面板の略中心に向かって延びる繋ぎ目付切り線を設け、前記交点を中心とする円弧状切り線を前記内箱底面板と内箱左側面板との間の折り線と、内箱底面板と内箱前側面板との間の折り線との交点より僅か右側より内箱底面板の略中心まで前記繋ぎ目付切り線と交わるように設け、該繋ぎ目付切り線と円弧状切り線の交点より内箱前側面板方向に延びる切り線を設け、前記製函された中舟の内箱後側面板の左辺の折り線をヒンジーとして内箱左側面板の部分を斜めにスライドさせ、前記繋ぎ目付切り線の繋ぎ目を切り離して開口せしめることを特徴とする斜めスライドオープン式菓子用紙箱。
【請求項２】
前記外箱となるスリーブを構成する外箱前側面板の左辺に、手掛け用窪みが刻設されていることを特徴とする請求項１記載の斜めスライドオープン式菓子用紙箱。
【請求項３】
前記内箱となる中舟を構成する内箱前側面板の内側の内箱底面板に折り線を介して突出するロック機構部位が切り線により設けられ、前記スリーブを構成する外箱底面板の左辺に切り込み折り線を介して折り返し片が連設され内側に折り返されていることを特徴とする請求項１乃至２のいずれか１項記載の斜めスライドオープン式菓子用紙箱。
【請求項４】
前記内箱となる中舟を構成する内箱底面板と内箱左側面板とを連設する折り線の所定の個所に該内箱底面板内に食い込む埋設防止爪が貫設されていることを特徴とする請求項１乃至３のいずれか１項記載の斜めスライドオープン式菓子用紙箱。
【発明の詳細な説明】
【技術分野】
【０００１】
本発明は、菓子等を収納し、少しずつ取り出して食する菓子用紙箱に関するものであり、特に、中舟・スリーブ式の構造でその中舟を斜めにスライドせしめて開口するユニークでかつ取り出し易くした斜めスライドオープン式菓子用紙箱に関するものである。
【背景技術】
【０００２】
従来、例えば、包装された粒状のチョコレートやキャラメル、飴などの菓子類を収納し、その菓子類を少しずつ取り出して食するようになっている菓子用紙箱として、中舟・スリーブ式や振出し式の紙箱が知られ、前者の中舟・スリーブ式紙箱は、例えば、図５の斜視図に示すように、角形状の中舟（２）と角筒状のスリーブ（３）とで構成されていて、その中舟（２）をスリーブ（３）からオープン方向（Ａ）に引き出して中身の菓子類を取り出すようになっているもので、ごく一般的な構造の中舟・スリーブ式カートン（４）がある。
【０００３】
しかしながら、上記従来の中舟・スリーブ式カートン（４）は、上述したように、ごく一般的な構造で、その形状等に代り映えがせず、かつロック機構がないので、中舟（２）が一度に引き出され、その中身がこぼれ落ちたりする危惧があるという問題点のあるものであった。
【０００４】
また、後者の振出し式紙箱としては、例えば、２重カートンにして、中箱と外箱に開口部を設け、その中箱を少し引き出した時に、前記の中箱と外箱の開口部同志が合致して、その合致した開口部から菓子等中身を取り出すようになっているものや、例えば、図６の斜視図に示すように、天面板（５５）にスライド式振出し口（５０）を設け、このオープン方向（Ａ）にスライドさせて開口するスライド式振出し口（５０）から粒状のチョコレート等を振り出して取り出す振出し式カートン（５）などの他、種々の方式の菓子用紙箱がある。
【０００５】
しかしながら、上記振出し式紙箱は、一度に多くの中身を取り出したい場合、取り出し難いことに加え、開口したときのロック機構がないので中箱と外箱の開口部同志を合致させることが難しかったり、また、引き出し過ぎて中身がこぼれ落ちたりする危惧があるという問題点もあった。
【発明の開示】
【発明が解決しようとする課題】
【０００６】
本発明は、かかる従来技術の問題点を解決するものであり、その課題とするところは、菓子類を収納し、少しずつ取り出して食する菓子用紙箱において、少しずつでも、一度に多くでも取り出し易く、開口機構がユニークでかつロック機構をも有する斜めスライドオープン式菓子用紙箱を提供することにある。
【課題を解決するための手段】
【０００７】
本発明に於いて上記課題を達成するために、まず請求項１の発明では、基本となる構造として、側板糊代片（３０）と外箱底面板（３１）と外箱前側面板（３２）と外箱上面板（３３）と外箱後側面板（３４）とが順にそれぞれ折り線を介して連設し、該外箱底面板（３１）の右辺に外箱右側内板（４１）が、該外箱上面板（３３）の右辺に外箱右側外板（４２）がそれぞれ折り線を介して連設し、外箱前側面板（３２）と外箱後側面板（３４）の右辺に外箱糊代フラップ（４３）がそれぞれ折り線を介して連設してなるスリーブ用ブランク（３Ａ）を直方体状に製函したスリーブ（３）内に、
内箱後側面板（２０）と内箱底面板（２１）と内箱前側面板（２２）とが順に折り線を介して連設し、該内箱後側面板（２０）および内箱前側面板（２２）の左右辺には内箱糊代フラップ（１２）がそれぞれ折り線を介して連設し、内箱底面板（２１）の左右辺には内箱左側面板（１６）、内箱右側面板（１４）がそれぞれ折り線を介して連設している中舟用ブランク（２Ａ）を直方体状に製函した中舟（２）を、
挿入したスライド開口可能な中舟・スリーブ式の菓子用紙箱において、
前記中舟用ブランク（２Ａ）を構成する内箱底面板（２１）と内箱左側面板（１６）との間の折り線（ｈ）および内箱後側面板（２０）との間の折り線（ｇ）の交点（Ｐ）より内箱底面板（２１）の略中心に向かって延びる繋ぎ目付切り線（ｘ）を設け、前記交点（Ｐ）を中心とする円弧状切り線（ｙ）を前記内箱底面板（２１）と内箱左側面板（１６）との間の折り線（ｈ）と、内箱底面板（２１）と内箱前側面板（２２）との間の折り線（ｋ）との交点（Ｑ）より僅か右側より内箱底面板（２１）の略中心まで前記繋ぎ目付切り線（ｘ）と交わるように設け、該繋ぎ目付切り線（ｘ）と円弧状切り線（ｙ）の交点（Ｏ）より内箱前側面板（２２）方向に延びる切り線（ｗ）を設け、製函された中舟（２）の内箱後側面板（２０）の左辺の折り線（ｉ）をヒンジーとして内箱左側面板（１６）の部分を斜めにスライドさせ、前記繋ぎ目付切り線（ｘ）の繋ぎ目を切り離して開口せしめることを特徴とする斜めスライドオープン式菓子用紙箱としたものである。
【０００８】
また、請求項２の発明では、前記外箱となるスリーブ（３）を構成する外箱前側面板（３２）の左辺に手掛け用窪み（３２ａ）が刻設されていることを特徴とする請求項１記載の斜めスライドオープン式菓子用紙箱としたものである。
【０００９】
また、請求項３の発明では、前記内箱となる中舟（２）を構成する内箱前側面板（２２）の内側の内箱底面板（２１）に折り線（ｋ）を介して突出するロック機構部位（２１ａ）が切り線（ｕ）により設けられ、前記スリーブ（３）を構成する外箱底面板（３１）の左辺に切り込み折り線（ｌ）を介して折り返し片（４４）が連設され内側に折り返されていることを特徴とする請求項１乃至２のいずれか１項記載の斜めスライドオープン式菓子用紙箱としたものである。
【００１０】
さらにまた、請求項４の発明では、前記内箱となる中舟（２）を構成する内箱底面板（２１）と内箱左側面板（１６）とを連設する折り線（ｈ）の所定の個所に該内箱底面板（２１）内に食い込む埋設防止爪（２１ｂ）が貫設されていることを特徴とする請求項１乃至３のいずれか１項記載の斜めスライドオープン式菓子用紙箱としはたものである。
【発明の効果】
【００１１】
本発明は以上の構成であるから、下記に示す如き効果がある。
【００１２】
即ち、上記請求項１に係る発明によれば、前記内箱ブランク（２Ａ）を構成する内箱底面板（２１）と内箱左側面板（１６）との間の折り線（ｈ）および内箱後側面板（２０）との間の折り線（ｇ）の交点（Ｐ）より内箱底面板（２１）の略中心に向かって延びる繋ぎ目付切り線（ｘ）を設け、前記交点（Ｐ）を中心とする円弧状切り線（ｙ）を前記内箱底面板（２１）と内箱左側面板（１６）との間の折り線（ｈ）と、内箱底面板（２１）と内箱前側面板（２２）との間の折り線（ｋ）との交点（Ｑ）より僅か右側より内箱底面板（２１）の略中心まで前記繋ぎ目付切り線（ｘ）と交わるように設け、該繋ぎ目付切り線（ｘ）と円弧状切り線（ｙ）の交点（Ｏ）より内箱前側面板（２２）方向に延びる切り線（ｗ）を設けることによって、このブランクが製函された内箱中舟（２）の内箱後側面板（２０）の左辺の折り線（ｉ）をヒンジーとして内箱左側面板（１６）の部分を斜めにスライドさせ、前記繋ぎ目付切り線（ｘ）の繋ぎ目を切り離して開口することができ、よって、従来の中舟・スリーブ式紙箱に比べユニークな形状で差別化が可能な斜めスライドオープン式菓子用紙箱（１）とすることができる。
【００１３】
また、従来の振出し式紙箱に比べても、中身を一度に多く取り出すことも可能で、かつ取り出し易い斜めスライドオープン式菓子用紙箱（１）とすることができる。
【００１４】
また、上記請求項２に係る発明によれば、前記外箱となるスリーブ（３）を構成する外箱前側面板（３２）の左辺に手掛け用窪み（３２ａ）が刻設されていることによって、内箱左側面板（１６）の部分を斜めにスライドさせて開口する際に、この手掛け用窪み（３２ａ）の間から内箱左側面板（１６）に手を掛けることができるようになり、よってより開口し易くした斜めスライドオープン式菓子用紙箱（１）とすることができる。
【００１５】
また、上記請求項３に係る発明によれば、前記内箱となる中舟（２）を構成する内箱前側面板（２２）の内側の内箱底面板（２１）に折り線（ｋ）を介して突出するロック機構部位（２１ａ）を切り線（ｕ）で設け、前記スリーブ（３）を構成する外箱底面板（３１）の左辺に切り込み折り線（ｌ）を介して折り返し片（４４）が連設され内側に折り返されていることによって、内箱左側面板（１６）の部分を斜めにスライドさせて大きく開口すると、この突出するロック機構部位（２１ａ）が、内側に折り返された折り返し片（４４）に引っ掛かってロックされるようになり、従来のいずれの方式の菓子用紙箱に比べても、一度に引き出されて中身がこぼれ落ちたりする危惧のない斜めスライドオープン式菓子用紙箱とすることができる。
【００１６】
さらにまた、上記請求項４に係る発明によれば、前記内箱となる中舟（２）を構成する内箱底面板（２１）と内箱左側面板（１６）とを連設する折り線（ｈ）の所定の個所に該内箱底面板（２１）内に食い込む埋設防止爪（２１ｂ）が貫設されていることによって、内箱左側面板（１６）の部分を斜めにスライドさせて開口し、中身を取り出した後の閉封に際に、この埋設防止爪（２１ｂ）が外箱底面板（３１）の左辺の、外箱折り返し片（４４）が折り返された切り込み折り線（ｌ）に引っ掛って内箱左側面板（１６）の埋設を防止することができる。
【００１７】
従って本発明は、菓子等を収納し、少しずつ取り出して食する菓子用紙箱で、特に、中舟を斜めにスライドせしめて開口するユニークな形状の斜めスライドオープン式菓子用紙箱として、優れた実用上の効果を発揮するものである。
【発明を実施するための最良の形態】
【００１８】
以下本発明を実施するための最良の形態を図面を用いて詳細に説明する。
【００１９】
図１は、本発明の斜めスライドオープン式菓子用紙箱の一事例を説明する斜視図であり、図２は、本発明の斜めスライドオープン式菓子用紙箱の一事例を構成する中舟とスリーブのブランクを示す展開図であり、図３は、本発明の斜めスライドオープン式菓子用紙箱の製造行程を説明する斜視図である。また、図４は、本発明の斜めスライドオープン式菓子用紙箱の一事例を詳細に説明するための上面から見た一部断面ずであり、図５は、本発明の斜めスライドオープン式菓子用紙箱を構成するスリーブの一事例を説明する斜視図である。
【００２０】
本発明の斜めスライドオープン式菓子用紙箱は、図１（ａ）の斜視図に示すように、直方体状の中舟（２）が直方体状のスリーブ（３）内に挿入されている中舟・スリーブ式の菓子用紙箱で、図１（ｂ）の斜視図に示すように、その開口は、中舟（２）の内箱左側面板（１６）の部分を斜めにスライドさせ、外箱であるスリーブ（３）から引き出してなさしめるようにした斜めスライドオープン式菓子用紙箱（１）である。
【００２１】
まず、上記請求項１および請求項２に係る発明では、例えば、図２（ａ）の展開図に示
すように、側板糊代片（３０）と外箱底面板（３１）と外箱前側面板（３２）と外箱上面板（３３）と外箱後側面板（３４）とが順にそれぞれ折り線を介して連設し、その外箱底面板（３１）の右辺には外箱右側内板（４１）が、外箱上面板（３３）の右辺には外箱右側外板（４２）がそれぞれ折り線を介して連設し、外箱前側面板（３２）および外箱後側面板（３４）の右辺には外箱糊代フラップ（４３）がそれぞれ折り線を介して連設してなるスリーブ用ブランク（３Ａ）において、前記外箱前側面板（３２）の左辺に手掛け用窪み（３２ａ）が刻設されているものとする。
【００２２】
上記で得られたスリーブ用ブランク（３Ａ）を用いて製函すると、例えば、図５の斜視図に示すように、外箱前側面板（３２）の左辺に手掛け用窪み（３２ａ）が設けられたスリーブ（３）とするものである。
【００２３】
また一方で、上記請求項１および請求項２に係る発明では、例えば、図２（ｂ）の展開図に示すように、内箱後側面板（２０）と内箱底面板（２１）と内箱前側面板（２２）とが順に折り線を介して連設し、その内箱後側面板（２０）および内箱前側面板（２２）の左右辺には内箱糊代フラップ（１２）がそれぞれ折り線を介して連設し、内箱底面板（２１）の左右辺には内箱左側面板（１６）、内箱右側面板（１４）がそれぞれ折り線を介して連設している中舟用ブランク（２Ａ）において、前記内箱底面板（２１）と内箱左側面板（１６）との間の折り線（ｈ）および内箱後側面板（２０）との間の折り線（ｇ）の交点（Ｐ）より、この内箱底面板（２１）の略中心に向かって延びる繋ぎ目付切り線（ｘ）を設け、前記交点（Ｐ）を中心とする円弧状切り線（ｙ）を内箱底面板（２１）と内箱左側面板（１６）との間の折り線（ｈ）と、内箱底面板（２１）と内箱前側面板（２２）との間の折り線（ｋ）との交点（Ｑ）より僅か右側の折り線（ｋ）より内箱底面板（２１）の略中心まで前記繋ぎ目付切り線（ｘ）と交わるように設け、この繋ぎ目付切り線（ｘ）と円弧状切り線（ｙ）の交点（Ｏ）より内箱前側面板（２２）方向に延びる切り線（ｗ）が設けられているものとする。
【００２４】
上記中舟用ブランク（２Ａ）の内箱底面板（２１）に刻設されている繋ぎ目付切り線（ｘ）は、中舟用ブランク（２Ａ）を製造する際に内箱左側面板（１６）の部分と内箱後側面板（２０）の部分が切り離されないようにしたもので、同様に円弧状切り線（ｙ）を内箱底面板（２１）と内箱左側面板（１６）との間の折り線（ｈ）と、内箱底面板（２１）と内箱前側面板（２２）との間の折り線（ｋ）との交点（Ｑ）より僅か右側の折り線（ｋ）より設けることによって、中舟用ブランク（２Ａ）の製造に際し、内箱前側面板（２２）と内箱左側面板（１６）側の内箱底面板（２１）とが切り離されないようにしたものである。
【００２５】
上記で得られた中舟用ブランク（２Ａ）を用いて製函すると、例えば、図３（ａ）の斜視図に示すように、中舟（２）を構成する内箱底面板（２１）に、左上コーナーより延びる繋ぎ目付切り線（ｘ）と、左下コーナーより延びる円弧状切り線（ｙ）が交差し、その交差した交点（Ｏ）から内箱前側面板（２２）方向に延びる切り線（ｗ）が設けられた直方体状の中舟（２）とし、上記で得られた図５に示すスリーブ（３）内に挿入し、図１（ａ）に示すような斜めスライドオープン式菓子用紙箱（１）とするものである。
【００２６】
この斜めスライドオープン式菓子用紙箱（１）は、その製造上から製函されたスリーブ（３）に中舟（２）を挿入することは困難なため、実質的には、図３（ｂ）の斜視図に示すように、上記で得られた中舟（２）にスリーブ用ブランク（３Ａ）を巻付けるようにしながら製函してスリーブ（３）とし、例えば、図１（ａ）に示すように、中舟（２）がスリーブ（３）内に挿入された中舟・スリーブ式の斜めスライドオープン式菓子用紙箱（１）とするものである。
【００２７】
上記で得られた斜めスライドオープン式菓子用紙箱（１）をさらに詳しく説明すると、例えば、例えば、図４（ａ）の上面から見た一部断面図に示すように、上記で得られたスリーブ（３）内に中舟（２）を挿入した斜めスライドオープン式菓子用紙箱（１）であって、外箱となるスリーブ（３）の外箱前側面板（３２）の左辺には手掛け用窪み（３２ａ）が刻設されていて、内箱となる中舟（２）の内箱後側面板（２０）と内箱左側面板（１６）とのコーナーより内箱底面板（２１）の略中心に向かって延びる繋ぎ目付切り線（ｘ）が設けられ、前記コーナーを中心とする円弧状切り線（ｙ）と、これら繋ぎ目付切り線（ｘ）と円弧状切り線（ｙ）の交点（Ｏ）から内箱前側面板（２２）方向に延びる切り線（ｗ）が設けられている。
【００２８】
上記のような斜めスライドオープン式菓子用紙箱（１）を開口して菓子類（図示せず）を取り出すには、例えば、図４（ｂ）の上面から見た一部断面図に示すように、外箱前側面板（３２）に刻設されている手掛け用窪み（３２ａ）から内箱前側面板（２２）の左端部に手を掛けて内箱左側面板（１６）を引き出すと、内箱底面板（２１）の略中心に向かって延びる繋ぎ目付切り線（ｘ）が切り離され、内箱左側面板（１６）と内箱後側面板（２０）との間の折り線（ｉ）がヒンジーとなって斜めにスライドして開口するようになる斜めスライドオープン式菓子用紙箱（１）である。
【００２９】
また、上記請求項３に係る発明では、例えば、図２（ｂ）の展開図に示ように、内箱となる中舟用ブランク（２Ａ）を構成する内箱前側面板（２２）の内側の内箱底面板（２１）に折り線（ｋ）を介して突出するロック機構部位（２１ａ）が切り線（ｕ）によって設けられ、また、図２（ａ）の展開図に示ように、一方の外箱となるスリーブ用ブランク（３Ａ）を構成する外箱底面板（３１）の左辺に切り込み折り線（ｌ）を介して折り返し片（４４）が連設されている。
【００３０】
上記で得られた突出するロック機構部位（２１ａ）を有する中舟用ブランク（２Ａ）を製函すると、図３（ａ）に示すように、内箱前側面板（２２）の内側の内箱底面板（２１）に折り線（ｋ）を介して突出するロック機構部位（２１ａ）が設けられた中舟（２）とする。
【００３１】
一方の折り返し片（４４）が切り込み折り線（ｌ）で外箱底面板（３１）と連設しているスリーブ用ブランク（３Ａ）を製函すると、例えば、図５の斜視図に示すように、折り返し片（４４）が切り込み折り線（ｌ）で外箱底面板（３１）側に折り返されたスリーブ（３）とする。
【００３２】
上記で得られたロック機構を有する中舟（２）とスリーブ（３）を組合せて、図４（ａ）に示すような斜めスライドオープン式菓子用紙箱（１）とするものである。
【００３３】
上記で得られたロック機構を有する斜めスライドオープン式菓子用紙箱（１）を開口すると、例えば、図４（ｂ）に示すように、内箱前側面板（２２）に突出するロック機構部位（２１ａ）がスリーブ（３）を構成する外箱底面板（３１）側に折り返された折り返し片（４４）に引っ掛かってロックされるようになる斜めスライドオープン式菓子用紙箱（１）とするものである。
【００３４】
さらにまた、上記請求項４に係る発明では、例えば、図２（ｂ）の展開図に示ように、内箱としての中舟用ブランク（２Ａ）を構成する内箱底面板（２１）と内箱左側面板（１６）とを連設する折り線（ｈ）の所定の個所、例えば、内箱前側面板（２２）側に、その内箱底面板（２１）内に食い込むように埋設防止爪（２１ｂ）が貫設されていて、この中舟用ブランク（２Ａ）を製函して、図３（ａ）に示すように、内箱左側面板（１６）の下部に突出する埋設防止爪（２１ｂ）が設けられた中舟（２）とする。
【００３５】
上記で得られた中舟（２）をスリーブ（３）内に挿入して、図１（ａ）に示すように、中舟（２）を構成する内箱左側面板（１６）の下部に突出する埋設防止爪（２１ｂ）を有する斜めスライドオープン式菓子用紙箱（１）とするものである。
【００３６】
このように、図１（ａ）に示すような中舟（２）を構成する内箱左側面板（１６）の下部に、内箱底面板（図示せず）内に食い込むような埋設防止爪（２１ｂ）が設けられていることによって、開口後中身を取り出した後の閉封に際し、この埋設防止爪（２１ｂ）が外箱底面板の左辺の切り込み折り線（ｌ）の部分に引っ掛って内箱左側面板（１６）の埋設を防止することができる。
【００３７】
また、図２（ａ）の展開図に示すように、例えば、外箱底面板（３１）と折り返し片（４４）とを連設する切り込み折り線（ｌ）上の外箱前側面板（３２）側に引掛け用孔（３１ａ）を設け、これを製函すると、図５に示すように、外箱底面板（３１）の内側に折り返された折り返し片（４４）の切り込み折り線（ｌ）上に引掛け用孔（３１ａ）が設けられたスリーブ（３）とし、この引掛け用孔（３１ａ）の刻設によって、図１（ａ）に示すように、中身を取り出した後の閉封に際し、埋設防止爪（２１ｂ）がこの引掛け用孔（３１ａ）に嵌め込まれ、埋設防止爪（２１ｂ）が出っ張らないようにして、見栄えのよい斜めスライドオープン式菓子用紙箱（１）とすることもできる。
【００３８】
以上のように、本発明の斜めスライドオープン式菓子用紙箱（１）は、中舟を斜めにスライドさせて開口するユニークで差別化ができ、かつ少しずつでも、一度に多くでも取り出し易くし、ロック機構をも有することを特徴としたものである。したがって、各種菓子類、例えば、包装された粒状のチョコレートやキャラメルあるいは飴などを収納し、少しずつ取り出して食することのできる斜めスライドオープン式菓子用紙箱を提供することができる。
【図面の簡単な説明】
【００３９】
【図１】本発明の斜めスライドオープン式菓子用紙箱の一実施の形態を示すもので、（ａ）は、その斜視図であり、（ｂ）は、開口したときの斜視図である。
【図２】本発明の斜めスライドオープン式菓子用紙箱を構成するブランクの一事例を説明するもので、（ａ）は、スリーブの展開図であり、（ｂ）は、中舟の展開図である。
【図３】本発明の斜めスライドオープン式菓子用紙箱の製造工程を説明するもので、（ａ）は、中舟の製函工程の斜視図であり、（ｂ）は、スリーブの製函工程の斜視図である。
【図４】本発明の斜めスライドオープン式菓子用紙箱の一事例を説明するもので、（ａ）は、その上面からみた一部断面図であり、（ｂ）は、開口したときの上面からみた一部断面図である。
【図５】本発明の斜めスライドオープン式菓子用紙箱を構成するスリーブの一事例を説明する斜視図である。
【図６】従来の菓子用紙箱の一事例を説明する斜視図である。
【図７】従来の菓子用紙箱の他の一事例を説明する斜視図である。
【符号の説明】
【００４０】
１‥‥斜めスライドオープン式菓子用紙箱
２‥‥中舟
２Ａ‥‥中舟用ブランク
３‥‥スリーブ
３Ａ‥‥スリーブ用ブランク
４‥‥中舟・スリーブ式カートン
５‥‥振出し式カートン
１２‥‥内箱糊代フラップ
１４‥‥内箱右側面板
１６‥‥内箱左側面板
２０‥‥内箱後側面板
２１‥‥内箱底面板
２１ａ‥‥ロック機構部位
２１ｂ‥‥埋設防止爪
２２‥‥内箱前側面板
３０‥‥側板糊代片
３１‥‥外箱底面板
３１ａ‥‥引掛け用孔
３２‥‥外箱前側面板
３２ａ‥‥手掛け用窪み
３３‥‥外箱上面板
３４‥‥外箱後側面板
４１‥‥外箱右側面内板
４２‥‥外箱右側面外板
４３‥‥外箱糊代フラップ
４４‥‥折り返し片
３２‥‥外箱前側面板
３３‥‥外箱上面板
３４‥‥外箱後側面板
４１‥‥外箱右側面内板
４２‥‥外箱右側面外板
５０‥‥スライド式振出し口
５５‥‥天面板
ｇ，ｈ，ｉ，ｋ‥‥折り線
ｌ‥‥切り込み折り線
ｕ，ｗ‥‥切り線
ｘ‥‥切り込み切り線
ｙ‥‥円弧状切り線
Ａ‥‥オープン方向
Ｏ，Ｐ，Ｑ‥‥交点
【図１】
2006248593.tif 000003
【図２】
2006248593.tif 000004
【図３】
2006248593.tif 000005
【図４】
2006248593.tif 000006
【図５】
2006248593.tif 000007
【図６】
2006248593.tif 000008
【図７】
2006248593.tif 000009